(57)【要約】  基地局の断線後の自己回復の方法及び装置であって、該方法は、基地局とネットワーク管理システムとがリンク接続を行うことができない際に、リンク中断累積時間長さを検出するステップ、前記リンク中断累積時間長さが指定された時間長さを超える際に、前記基地局は基礎的な通信プロトコルによって前記ネットワーク管理システムにｉｐアドレスを取得することを要求し、前記基地局の唯一の識別子が含まれるステップ、前記ネットワーク管理システムが返したｉｐアドレスに基づき、前記ネットワーク管理システムとｉｐリンクを確立するステップ、及び前記ネットワーク管理システムから取得した情報に基づき基地局ソフトウェア及び設定データをロードするステップを含む。本発明は、基地局ソフトウェア又は設定データが不正常で基地局断線を引き起こした際に、自動的にシステム回復を行って且つネットワーク管理システムに接続され、人の働きで基地局に行って処理することを避け、それにより維持効率を向上させ、マンパワー及び時間の消耗を減少する。【選択図】図２
2017536759.tif 000002
【特許請求の範囲】
【請求項１】
基地局の断線後の自己回復の方法であって、基地局側に適用され、
基地局とネットワーク管理システムとがリンク接続を行うことができない際に、前記基地局がリンク中断累積時間長さを検出するステップ、
前記リンク中断累積時間長さが指定された時間長さを超える際に、前記基地局が、基礎的な通信プロトコルによって前記ネットワーク管理システムにｉｐアドレスを取得する要求を送信し、該要求には前記基地局の唯一の識別子が含まれるステップ、
前記基地局が、前記ネットワーク管理システムが返したｉｐアドレスに基づき、前記ネットワーク管理システムとｉｐリンクを確立するステップ、及び
前記ネットワーク管理システムから取得した情報に基づき、基地局ソフトウェア及び設定データをロードするステップを含む基地局の断線後の自己回復の方法。
【請求項２】
前記ネットワーク管理システムから取得した情報に基づき、基地局ソフトウェア及び設定データをロードするステップは、
前記基地局が前記ネットワーク管理システムに基地局ソフトウェア及び設定データを取得する要求を送信すること、
前記基地局が前記ネットワーク管理システムが返した基地局ソフトウェア及び設定データを受信すること、及び
前記基地局が前記基地局ソフトウェア及び設定データをロードすることを含む請求項１に記載の基地局の断線後の自己回復の方法。
【請求項３】
前記基地局が、基礎的な通信プロトコルによって前記ネットワーク管理システムにｉｐアドレスを取得する要求を送信するステップは、
前記基地局の前記要求にエラー情報を含むことを含み、
前記基地局が、ネットワーク管理システムから取得した情報に基づき、基地局ソフトウェア及び設定データをロードするステップは、
前記基地局が前記ネットワーク管理システムが返したサービスパックを受信し、前記サービスパックに基地局ソフトウェア及び設定データの修正情報が含まれ、前記基地局が前記修正情報に基づき前記基地局ソフトウェア及び設定データを改めてロードすることを含む請求項１に記載の基地局の断線後の自己回復の方法。
【請求項４】
基地局の断線後の自己回復の方法であって、ネットワーク管理システム側に適用され、
前記ネットワーク管理システムが、基地局が基礎的な通信プロトコルによって送信したｉｐアドレスを取得する要求を受信し、該要求には前記基地局の唯一の識別子が含まれるステップ、
前記ネットワーク管理システムが、前記ｉｐアドレスを取得する要求を受信した後に、予め記憶された基地局情報から前記唯一の識別子に対応するｉｐアドレスを検索し、且つ該ｉｐアドレスを前記基地局に返すステップ、
前記ネットワーク管理システムが、前記ｉｐアドレスに基づき、前記基地局とｉｐリンクを確立するステップ、及び
前記ネットワーク管理システムが、前記基地局の要求に基づき、情報ロード基地局ソフトウェア及び設定データを前記基地局に送信するステップを含む基地局の断線後の自己回復の方法。
【請求項５】
前記ネットワーク管理システムが、前記基地局の要求に基づき、情報ロード基地局ソフトウェア及び設定データを前記基地局に送信するステップは、
前記ネットワーク管理システムが前記基地局が送信した基地局ソフトウェア及び設定データを取得する要求を受信すること、及び
前記ネットワーク管理システムが予め記憶された基地局情報から前記基地局の基地局ソフトウェア及び設定データを検索して、検索した基地局ソフトウェア及び設定データを前記基地局に返すことを含む請求項４に記載の基地局の断線後の自己回復の方法。
【請求項６】
前記ｉｐアドレスを取得する要求には更にエラー情報が含まれ、
前記ネットワーク管理システムが、前記基地局の要求に基づき、情報ロード基地局ソフトウェア及び設定データを前記基地局に送信するステップは、
前記ネットワーク管理システムが前記エラー情報に基づきサービスパックを生成して前記基地局に返して、前記サービスパックには基地局ソフトウェア及び設定データの修正情報が含まれ、前記基地局が前記修正情報に基づき基地局ソフトウェア及び設定データを改めてロードすることを含む請求項４に記載の基地局の断線後の自己回復の方法。
【請求項７】
基地局に設けられる、基地局の断線後の自己回復の装置であって、
リンク中断検出モジュール及び自己回復モジュールを備え、
前記リンク中断検出モジュールは、前記基地局及びネットワーク管理システムがリンク接続を行うことができない際に、リンク中断累積時間長さを検出するように設定され、
前記自己回復モジュールは、前記リンク中断検出モジュールが検出した前記リンク中断累積時間長さが指定された時間長さを超える際に、基礎的な通信プロトコルによって前記ネットワーク管理システムにｉｐアドレスを取得する要求を送信し、該要求には前記基地局の唯一の識別子が含まれ、更に前記ネットワーク管理システムが返したｉｐアドレスに基づき、前記ネットワーク管理システムとｉｐリンクを確立し、更に前記ネットワーク管理システムから取得した情報に基づき、基地局ソフトウェア及び設定データをロードするように設定される、基地局の断線後の自己回復の装置。
【請求項８】
前記自己回復モジュールは、
前記ネットワーク管理システムに基地局ソフトウェア及び設定データを取得する要求を送信し、更に前記ネットワーク管理システムが返した基地局ソフトウェア及び設定データを受信し、更に前記基地局ソフトウェア及び設定データをロードする方式で、
前記自己回復モジュールは、前記ネットワーク管理システムから取得した情報に基づき、基地局ソフトウェア及び設定データをロードするように設定される請求項７に記載の基地局の断線後の自己回復の装置。
【請求項９】
前記自己回復モジュールが前記ネットワーク管理システムに送信したｉｐアドレスを取得する要求には更にエラー情報が含まれ、
前記自己回復モジュールは、
前記ネットワーク管理システムが返したサービスパックを受信し、前記サービスパックには基地局ソフトウェア及び設定データの修正情報が含まれ、前記修正情報に基づき基地局ソフトウェア及び設定データを改めてロードする方式で、
前記自己回復モジュールは、前記ネットワーク管理システムから取得した情報に基づき、基地局ソフトウェア及び設定データをロードするように設定される請求項７に記載の基地局の断線後の自己回復の装置。
【請求項１０】
ネットワーク管理システム側に設けられる、基地局の断線後の自己回復の装置であって、
自己回復サービスモジュール及び基地局情報テーブル記憶モジュールを備え、
前記自己回復サービスモジュールは、基地局が基礎的な通信プロトコルによって送信したｉｐアドレスを取得する要求を受信した後に、予め記憶された基地局情報から前記要求における基地局の唯一の識別子に対応するｉｐアドレスを検索して、且つ検索したｉｐアドレスを前記基地局に返し、更に前記ｉｐアドレスに基づき、前記基地局とｉｐリンクを確立し、更に前記基地局の要求に基づき、情報ロード基地局ソフトウェア及び設定データを前記基地局に送信するように設定され、
前記基地局情報テーブル記憶モジュールは、基地局のｉｐアドレス、情報ロード基地局ソフトウェア、設定データ及びサービスパックを記憶するように設定される、基地局の断線後の自己回復の装置。
【請求項１１】
前記自己回復サービスモジュールは、
前記基地局が送信した基地局ソフトウェア及び設定データを取得する要求を受信した後に、予め記憶された基地局情報から前記基地局の基地局ソフトウェア及び設定データを検索し、検索した基地局ソフトウェア及び設定データを前記基地局に返す方式で、
前記自己回復サービスモジュールは、前記基地局の要求に基づき、情報ロード基地局ソフトウェア及び設定データを前記基地局に送信するように設定される請求項１０に記載の基地局の断線後の自己回復の装置。
【請求項１２】
前記ｉｐアドレスを取得する要求には更にエラー情報が含まれ、
前記自己回復サービスモジュールは更に、前記ｉｐリンクを確立した後に、前記エラー情報に基づきサービスパックを生成して前記基地局に返し、前記サービスパックには基地局ソフトウェア及び設定データの修正情報が含まれ、前記基地局は前記修正情報に基づき基地局ソフトウェア及び設定データを改めてロードするように設定される請求項１０に記載の基地局の断線後の自己回復の装置。
【請求項１３】
コンピュータプログラムであって、プログラム命令を含み、該プログラム命令が基地局によって実行される際に、該基地局に請求項１〜３のいずれか一項に記載の基地局の断線後の自己回復の方法を実行させることができるコンピュータプログラム。 
【請求項１４】
請求項１３に記載のコンピュータプログラムが載せられたキャリア。
【請求項１５】
コンピュータプログラムであって、プログラム命令を含み、該プログラム命令がネットワーク管理システムによって実行される際に、該ネットワーク管理システムに請求項４〜６のいずれか一項に記載の基地局の断線後の自己回復の方法を実行させることができるコンピュータプログラム。 
【請求項１６】
請求項１５に記載のコンピュータプログラムが載せられたキャリア。
【発明の詳細な説明】
【技術分野】
【０００１】
本開示は、基地局の断線（disconnection）後の自己回復技術分野に関し、特に基地局の断線後の自己回復の方法及び装置に関する。
【背景技術】
【０００２】
ワイヤレスネットワークの絶え間ない発展及び進化に伴って、無線基地局システムは世界中の様々な地域に大量に配置され、基地局の維持管理は重要で且つ複雑な作業である。一般的に基地局の維持作業は中央コンピュータルームで遂行され、基地局が正常に稼働する際に、基地局は伝送リンク及び中央コンピュータルームのネットワーク管理システムによって通信し、ユーザはネットワーク管理システム上で基地局をリモート運用保守管理することができる。しかし、異状状況が生じて基地局が断線してネットワーク管理システムと通信することができない際は、運用保守者は基地局に行ってネットワークエレメントを修理処理する必要がある。このように、大量のマンパワー及び時間を消耗する。
【０００３】
基地局の断線（基地局の切断）は数多くの原因を有し、主ないくつかの原因は以下の通りである。
（1）伝送リンク故障による通信中断。
（2）基地局ハードウェア機器の損壊。
（3）基地局が間違ったソフトウェアバージョンをダウンロードして或いは基地局ソフトウェアそのものがバグ（bug）を有していて、運用した後に基地局の断線を引き起こす。
（4）基地局が間違った設定データを活性化して、運用した後に基地局の断線（例えば、ＩＰアドレス設定エラー）を引き起こす。
【０００４】
上記のいくつかの原因では、問題（1）は伝送リンクを修復しなければ解決できなく、問題（2）は基地局に行って損壊されたハードウェアを交換することによって解決する必要があり、この２つの問題は本発明が処理する範囲ではない。問題（3）及び（4）は基地局の断線のよく見られる主な原因であり、メンテナンス担当者のエラー或いはソフトウェアそのものがbugを有して、基地局の断線を引き起こす場合が多い。
【発明の概要】
【発明が解決しようとする課題】
【０００５】
本発明が解決しようとする技術的課題は、基地局ソフトウェア又は設定データが不正常で基地局断線（基地局切断）を引き起こす際に、基地局が如何に自動的にシステム回復を行って且つネットワーク管理システムに接続されて、人の働きで基地局に行って処理することを避け、それにより維持効率を向上させ、マンパワー及び時間の消耗を減少する。
【課題を解決するための手段】
【０００６】
上記した課題を解決するために、以下のような技術的解決手段を採用する。
基地局の断線後の自己回復の方法であって、基地局側に適用され、
基地局とネットワーク管理システムとがリンク接続を行うことができない際に、前記基地局がリンク中断累積時間長さを検出するステップ、
前記リンク中断累積時間長さが指定された時間長さを超える際に、前記基地局が、基礎的な通信プロトコル（Underlying communication protocol）によって前記ネットワーク管理システムにｉｐアドレスを取得する要求を送信し、該要求には前記基地局の唯一の識別子が含まれるステップ、
前記基地局が、前記ネットワーク管理システムが返したｉｐアドレスに基づき、前記ネットワーク管理システムとｉｐリンクを確立するステップ、及び
前記ネットワーク管理システムから取得した情報に基づき、基地局ソフトウェア及び設定データをロードするステップを含む。
【０００７】
好ましくは、前記ネットワーク管理システムから取得した情報に基づき、基地局ソフトウェア及び設定データをロードするステップは、
前記基地局が前記ネットワーク管理システムに基地局ソフトウェア及び設定データを取得する要求を送信すること、
前記基地局が前記ネットワーク管理システムが返した基地局ソフトウェア及び設定データを受信すること、及び
前記基地局が前記基地局ソフトウェア及び設定データをロードすることを含む。
【０００８】
好ましくは、前記基地局が、基礎的な通信プロトコルによって前記ネットワーク管理システムにｉｐアドレスを取得する要求を送信するステップは、
前記基地局の前記要求にエラー情報を含むことを含み、
前記基地局が、ネットワーク管理システムから取得した情報に基づき、基地局ソフトウェア及び設定データをロードするステップは、
前記基地局が前記ネットワーク管理システムが返したサービスパック（patch pack）を受信し、前記サービスパックに基地局ソフトウェア及び設定データの修正情報が含まれること、及び
前記基地局が前記修正情報に基づき前記基地局ソフトウェア及び設定データを改めてロードすることを含む。
【０００９】
基地局の断線後の自己回復の方法であって、ネットワーク管理システム側に適用され、
前記ネットワーク管理システムが、基地局が基礎的な通信プロトコルによって送信したｉｐアドレスを取得する要求を受信し、該要求には前記基地局の唯一の識別子が含まれるステップ、
前記ネットワーク管理システムが、前記ｉｐアドレスを取得する要求を受信した後に、予め記憶された基地局情報から前記唯一の識別子に対応するｉｐアドレスを検索し、且つ該ｉｐアドレスを前記基地局に返すステップ、
前記ネットワーク管理システムが、前記ｉｐアドレスに基づき、前記基地局とｉｐリンクを確立するステップ、及び
前記ネットワーク管理システムが、前記基地局の要求に基づき、情報ロード基地局ソフトウェア及び設定データを前記基地局に送信するステップを含む。
【００１０】
好ましくは、前記ネットワーク管理システムが、前記基地局の要求に基づき、情報ロード基地局ソフトウェア及び設定データを前記基地局に送信するステップは、
前記ネットワーク管理システムが前記基地局が送信した基地局ソフトウェア及び設定データを取得する要求を受信すること、及び
前記ネットワーク管理システムが予め記憶された基地局情報から前記基地局の基地局ソフトウェア及び設定データを検索して、検索した基地局ソフトウェア及び配置データを前記基地局に返すことを含む。
【００１１】
好ましくは、前記ｉｐアドレスを取得する要求には更にエラー情報が含まれ、
前記ネットワーク管理システムが、前記基地局の要求に基づき、情報ロード基地局ソフトウェア及び設定データを前記基地局に送信するステップは、
前記ネットワーク管理システムが前記エラー情報に基づきサービスパックを生成して前記基地局に返して、前記サービスパックには基地局ソフトウェア及び設定データの修正情報が含まれ、前記基地局が前記修正情報に基づき基地局ソフトウェア及び設定データを改めてロードすることを含む。
【００１２】
基地局に設けられる、基地局の断線後の自己回復の装置であって、
リンク中断検出モジュール及び自己回復モジュールを備え、
前記リンク中断検出モジュールは、前記基地局及びネットワーク管理システムがリンク接続を行うことができない際に、リンク中断累積時間長さを検出するように設定され、
前記自己回復モジュールは、前記リンク中断検出モジュールが検出した前記リンク中断累積時間長さが指定された時間長さを超える際に、基礎的な通信プロトコルによって前記ネットワーク管理システムにｉｐアドレスを取得する要求を送信し、該要求には前記基地局の唯一の識別子が含まれ、更に前記ネットワーク管理システムが返したｉｐアドレスに基づき、前記ネットワーク管理システムとｉｐリンクを確立し、更に前記ネットワーク管理システムから取得した情報に基づき、基地局ソフトウェア及び設定データをロードするように設定される。
【００１３】
好ましくは、前記自己回復モジュールは、
前記ネットワーク管理システムに基地局ソフトウェア及び設定データを取得する要求を送信し、更に前記ネットワーク管理システムが返した基地局ソフトウェア及び設定データを受信し、更に前記基地局ソフトウェア及び設定データをロードする方式で、
前記自己回復モジュールは、前記ネットワーク管理システムから取得した情報に基づき、基地局ソフトウェア及び設定データをロードするように設定される。
【００１４】
好ましくは、前記自己回復モジュールが前記ネットワーク管理システムに送信したｉｐアドレスを取得する要求には更にエラー情報が含まれ、
前記自己回復モジュールは、
前記ネットワーク管理システムが返したサービスパックを受信し、前記サービスパックには基地局ソフトウェア及び設定データの修正情報が含まれ、前記修正情報に基づき基地局ソフトウェア及び設定データを改めてロードする方式で、
前記自己回復モジュールは、前記ネットワーク管理システムから取得した情報に基づき、基地局ソフトウェア及び設定データをロードするように設定される。
【００１５】
ネットワーク管理システム側に設けられる、基地局の断線後の自己回復の装置であって、
自己回復サービスモジュール及び基地局情報テーブル記憶モジュールを備え、
前記自己回復サービスモジュールは、基地局が基礎的な通信プロトコルによって送信したｉｐアドレスを取得する要求を受信した後に、予め記憶された基地局情報から前記要求における基地局の唯一の識別子に対応するｉｐアドレスを検索して、且つ検索したｉｐアドレスを前記基地局に返し、更に前記ｉｐアドレスに基づき、前記基地局とｉｐリンクを確立し、更に前記基地局の要求に基づき、情報ロード基地局ソフトウェア及び設定データを前記基地局に送信するように設定され、
前記基地局情報テーブル記憶モジュールは、基地局のｉｐアドレス、情報ロード基地局ソフトウェア、設定データ及びサービスパックを記憶するように設定される。
【００１６】
好ましくは、前記自己回復サービスモジュールは、
前記基地局が送信した基地局ソフトウェア及び設定データを取得する要求を受信し、その後、予め記憶された基地局情報から前記基地局の基地局ソフトウェア及び設定データを検索し、検索した基地局ソフトウェア及び設定データを前記基地局に返す方式で、
前記自己回復サービスモジュールは、前記基地局の要求に基づき、情報ロード基地局ソフトウェア及び設定データを前記基地局に送信するように設定される。
【００１７】
好ましくは、前記ｉｐアドレスを取得する要求に更にエラー情報が含まれ、
前記自己回復サービスモジュールは更に、前記ｉｐリンクを確立した後に、前記エラー情報に基づきサービスパックを生成して前記基地局に返し、前記サービスパックには基地局ソフトウェア及び設定データの修正情報が含まれ、前記基地局が前記修正情報に基づき基地局ソフトウェア及び設定データを改めてロードするように設定される。
【００１８】
コンピュータプログラムであって、プログラム命令を含み、該プログラム命令が基地局によって実行される際に、該基地局に上記の任意の基地局側の基地局の断線後の自己回復の方法を実行させることができる。 
【００１９】
前記コンピュータプログラムが載せられたキャリアである。
【００２０】
コンピュータプログラムであって、プログラム命令を含み、該プログラム命令がネットワーク管理システムによって実行される際に、該ネットワーク管理システムに上記の任意のネットワーク管理システム側の基地局の断線後の自己回復の方法を実行させることができる。 
【００２１】
前記コンピュータプログラムが載せられたキャリアである。
【発明の効果】
【００２２】
本発明は、関連基地局管理において、基地局ソフトウェアバージョン又は設定データの送信エラーによって基地局の断線を引き起こして、ネットワーク管理システムと通信できない際は、従来は、人の働きで基地局に行って修復するしかできなく、それによりマンパワー及び時間の大量の浪費及び消耗の問題をもたらす課題に対して、新しい解決手段を提案する。本発明の技術的解決手段を使用して、システムにより自動的に、基地局ソフトウェア又は設定データの不正常によって基地局の断線を引き起こす問題を解決することができる。従来の技術は人の働きで基地局に行く必要があり、大量のマンパワー及び時間の消耗をもたらす。本発明を使用して該問題を避け、且つシステムの実用性を向上させる。
【図面の簡単な説明】
【００２３】
【図１】図１は、本発明の一実施例における基地局の断線後の自己回復の装置を示す模式ブロック図である。
【図２】図２は、本発明の一実施例における基地局側の動作フロチャートである。
【図３】図３は、本発明の実施例１におけるネットワーク管理側の動作フロチャートである。
【発明を実施するための形態】
【００２４】
以下、図面及び実施例を参照しながら、本発明の技術的解決手段についてより詳細に説明する。
【００２５】
なお、矛盾が生じない場合には、本発明の実施例及び実施例における各特徴は互いに結合することができ、いずれも本発明の保護範囲に属するものである。また、フローチャートにはロジック順序を示したが、ある場合の下では、この順序と異なる順序で示した又は説明したステップを実行できる。
【００２６】
基地局の断線後の自己回復の方法であって、
基地局とネットワーク管理システムとがリンク接続を行うことができない際に、リンク中断累積時間長さを検出するステップ、及び
前記リンク中断累積時間長さが指定された時間長さを超える際に、前記基地局が、基礎的な通信プロトコルによって前記ネットワーク管理システムにｉｐアドレスを取得することを要求し、該要求には本基地局の唯一の識別子が含まれ、前記ネットワーク管理システムが返したｉｐアドレスに基づき、前記ネットワーク管理システムとｉｐリンクを確立し、前記ネットワーク管理システムから取得した情報に基づき、基地局ソフトウェア及び設定データをロードするステップを含む。
【００２７】
ロードを完了した後に、前記基地局は起動が成功すると、前記ネットワーク管理システムとメンテナンスリンクの確立を成功することができる。
【００２８】
好ましくは、前記ネットワーク管理システムから取得した情報に基づき、基地局ソフトウェア及び設定データをロードするステップは、具体的に、
前記基地局が前記ネットワーク管理システムに基地局ソフトウェア及び設定データを取得することを要求すること、
前記基地局が前記ネットワーク管理システムが返した基地局ソフトウェア及び設定データを受信すること、及び
前記基地局が前記基地局ソフトウェア及び設定データをロードすることを含む。
【００２９】
好ましくは、前記基地局が前記ネットワーク管理システムにｉｐアドレスを取得することを要求する際に更にエラー情報を含み、
前記ネットワーク管理システムから取得した情報に基づき、基地局ソフトウェア及び設定データをロードするステップは、具体的に、
前記基地局が前記ネットワーク管理システムが返したサービスパックを受信し、前記サービスパックに基地局ソフトウェア及び設定データの修正情報が含まれること、及び
前記基地局が前記修正情報に基づき基地局ソフトウェア及び設定データを改めてロードすることを含む。
【００３０】
基地局の断線後の自己回復の方法であって、
基地局とネットワーク管理システムとがリンク接続を行うことができない際に、リンク中断累積時間長さを検出するステップ、
前記リンク中断累積時間長さが指定された時間長さを超える際に、前記基地局は基礎的な通信プロトコルによって前記ネットワーク管理システムにｉｐアドレスを取得することを要求し、該要求には前記基地局の唯一の識別子が含まれるステップ、
前記ネットワーク管理システムが、ｉｐアドレスを取得する要求を受信した後に、予め記憶された基地局情報から前記唯一の識別子に対応するｉｐアドレスを検索し、前記基地局に返すステップ、及び
前記基地局が、前記ネットワーク管理システムが返したｉｐアドレスに基づき、前記ネットワーク管理システムとｉｐリンクを確立し、前記ネットワーク管理システムから取得した情報に基づき基地局ソフトウェア及び設定データをロードするステップを含む。
【００３１】
ロードを完了した後に、前記基地局は起動が成功すると、前記ネットワーク管理システムとメンテナンスリンクの確立を成功することができる。
【００３２】
好ましくは、前記ネットワーク管理システムから取得した情報に基づき基地局ソフトウェア及び設定データをロードするステップは、具体的に、
前記基地局が、前記ネットワーク管理システムに基地局ソフトウェア及び設定データを取得する要求を送信すること、
前記ネットワーク管理システムが、基地局ソフトウェア及び設定データを取得する要求を受信した後に、前記予め記憶された基地局情報から前記基地局の基地局ソフトウェア及び設定データを検索して、前記基地局に返すこと、
前記基地局が、前記ネットワーク管理システムが返した基地局ソフトウェア及び設定データを受信すること、及び
前記基地局が、前記基地局ソフトウェア及び設定データをロードすることを含む。
【００３３】
好ましくは、前記基地局が前記ネットワーク管理システムにｉｐアドレスを取得することを要求する際に更にエラー情報を含み、
前記ネットワーク管理システムから取得した情報に基づき基地局ソフトウェア及び設定データをロードすることは、具体的に、
前記ネットワーク管理システムは、前記ｉｐリンクを確立した後に、前記エラー情報に基づきサービスパックを生成して前記基地局に返し、前記サービスパックに基地局ソフトウェア及び設定データの修正情報が含まれること、
前記基地局は、前記ネットワーク管理システムが返したサービスパックを受信すること、及び
前記基地局前記修正情報に基づき基地局ソフトウェア及び設定データを改めてロードすることを含む。
【００３４】
基地局の断線後の自己回復の装置であって、基地局に設けられ、
前記基地局及びネットワーク管理システムがリンク接続を行うことができない際に、リンク中断累積時間長さを検出するように設定されるリンク中断検出モジュールと、
前記リンク中断検出モジュールが検出した前記リンク中断累積時間長さが指定された時間長さを超える際に、基礎的な通信プロトコルによって前記ネットワーク管理システムにｉｐアドレスを取得することを要求し、該要求には前記基地局の唯一の識別子が含まれ、前記ネットワーク管理システムが返したｉｐアドレスに基づき、前記ネットワーク管理システムとのｉｐリンクを確立し、前記ネットワーク管理システムから取得した情報に基づき、基地局ソフトウェア及び設定データをロードするように設定される自己回復モジュールとを含む。
【００３５】
好ましくは、前記自己回復モジュールが、前記ネットワーク管理システムから取得した情報に基づき、基地局ソフトウェア及び設定データをロードすることは、
前記自己回復モジュールが、前記ネットワーク管理システムに基地局ソフトウェア及び設定データを取得する要求を送信し、前記ネットワーク管理システムが返した基地局ソフトウェア及び設定データを受信し、前記基地局ソフトウェア及び設定データをロードすることを指す。
【００３６】
好ましくは、前記自己回復モジュールが前記ネットワーク管理システムにｉｐアドレスを取得することを要求する際に、該要求には更にエラー情報が含まれ、
前記自己回復モジュールが、前記ネットワーク管理システムから取得した情報に基づき、基地局ソフトウェア及び設定データをロードすることは、
前記自己回復モジュールが、前記ネットワーク管理システムが返したサービスパックを受信し、前記サービスパックに基地局ソフトウェア及び設定データの修正情報が含まれ、前記修正情報に基づき基地局ソフトウェア及び設定データを改めてロードすることを指す。
【００３７】
基地局の断線後の自己回復の装置であって、
基地局に設けられ、ネットワーク管理システムとリンク接続を行うことができない際に、リンク中断累積時間長さを検出するように設定されるリンク中断検出モジュールと、
前記基地局に設けられ、前記リンク中断検出モジュールが検出した前記リンク中断累積時間長さが指定された時間長さを超える際に、前記基地局が基礎的な通信プロトコルによって前記ネットワーク管理システムにｉｐアドレスを取得することを要求し、該要求には本基地局の唯一の識別子が含まれ、前記ネットワーク管理システムが返したｉｐアドレスに基づき、前記ネットワーク管理システムとのｉｐリンクを確立し、前記ネットワーク管理システムから取得した情報に基づき基地局ソフトウェア及び設定データをロードするように設定される自己回復モジュールと、
前記ネットワーク管理システムに設けられ、前記ｉｐアドレスを取得する要求を受信した後に、予め記憶された基地局情報から前記唯一の識別子に対応するｉｐアドレスを検索し、前記基地局における前記自己回復モジュールに返すように設定される自己回復サービスモジュールとを含む。
【００３８】
好ましくは、前記自己回復モジュールが前記ネットワーク管理システムから取得した情報に基づき基地局ソフトウェア及び設定データをロードすることは、
前記自己回復モジュールが、前記ネットワーク管理システムに基地局ソフトウェア及び設定データを取得することを要求し、前記ネットワーク管理システムが返した基地局ソフトウェア及び設定データを受信し、前記基地局ソフトウェア及び設定データをロードし、
前記自己回復サービスモジュールが、基地局ソフトウェア及び設定データを取得する要求を受信した後に、前記予め記憶された基地局情報から前記基地局の基地局ソフトウェア及び設定データを検索して、前記基地局における前記自己回復モジュールに返すことを指す。
【００３９】
好ましくは、前記自己回復モジュールが前記ネットワーク管理システムにｉｐアドレスを取得することを要求する際に、該要求には更にエラー情報が含まれ、
前記自己回復モジュールが前記ネットワーク管理システムから取得した情報に基づき基地局ソフトウェア及び設定データをロードすることは、
前記自己回復サービスモジュールが、前記ｉｐリンクを確立した後に、前記エラー情報に基づきサービスパックを生成して前記基地局に返して、前記サービスパックには基地局ソフトウェア及び設定データの修正情報が含まれること、及び
前記自己回復モジュールが、前記ネットワーク管理システムが返したサービスパックを受信し、前記修正情報に基づき基地局ソフトウェア及び設定データを改めてロードすることを含む。
【００４０】
基地局の断線後の自己回復の方法であって、基地局側に適用され、
基地局とネットワーク管理システムとがリンク接続を行うことができない際に、前記基地局がリンク中断累積時間長さを検出するステップ、
前記リンク中断累積時間長さが指定された時間長さを超える際に、前記基地局が、基礎的な通信プロトコルによって、前記ネットワーク管理システムにｉｐアドレスを取得する要求を送信し、該要求には前記基地局の唯一の識別子が含まれるステップ、
前記基地局が、前記ネットワーク管理システムが返したｉｐアドレスに基づき、前記ネットワーク管理システムとｉｐリンクを確立するステップ、及び
前記ネットワーク管理システムから取得した情報に基づき、基地局ソフトウェア及び設定データをロードするステップを含む。
【００４１】
好ましくは、前記ネットワーク管理システムから取得した情報に基づき、基地局ソフトウェア及び設定データをロードするステップは、
前記基地局が前記ネットワーク管理システムに基地局ソフトウェア及び設定データを取得する要求を送信すること、
前記基地局が前記ネットワーク管理システムが返した基地局ソフトウェア及び設定データを受信すること、及び
前記基地局が前記基地局ソフトウェア及び設定データをロードすることを含む。
【００４２】
好ましくは、前記基地局が、基礎的な通信プロトコルによって、前記ネットワーク管理システムにｉｐアドレスを取得する要求を送信するステップは、前記基地局が前記要求にエラー情報を含ませることを含み、
前記基地局が、ネットワーク管理システムから取得した情報に基づき、基地局ソフトウェア及び設定データをロードするステップは、前記基地局が前記ネットワーク管理システムが返したサービスパックを受信し、前記サービスパックには基地局ソフトウェア及び設定データの修正情報が含まれ、前記基地局が前記修正情報に基づき前記基地局ソフトウェア及び設定データを改めてロードすることを含む。
【００４３】
基地局の断線後の自己回復の方法であって、ネットワーク管理システム側に適用され、
前記ネットワーク管理システムが、基地局が基礎的な通信プロトコルによって送信したｉｐアドレスを取得する要求を受信し、該要求には前記基地局の唯一の識別子を含まれるステップ、
前記ネットワーク管理システムが、前記ｉｐアドレスを取得する要求を受信した後に、予め記憶された基地局情報から前記唯一の識別子に対応するｉｐアドレスを検索し、且つ該ｉｐアドレスを前記基地局に返すステップ、
前記ネットワーク管理システムが、前記ｉｐアドレスに基づき、前記基地局とｉｐリンクを確立するステップ、及び
前記ネットワーク管理システムが、前記基地局の要求に基づき、情報ロード基地局ソフトウェア及び設定データを前記基地局に送信するステップを含む。
【００４４】
好ましくは、前記ネットワーク管理システムが、前記基地局の要求に基づき、情報ロード基地局ソフトウェア及び設定データを前記基地局に送信するステップは、
前記ネットワーク管理システムが、前記基地局が送信した基地局ソフトウェア及び設定データを取得する要求を受信すること、及び
前記ネットワーク管理システムが、予め記憶された基地局情報から前記基地局の基地局ソフトウェア及び設定データを検索して、検索した基地局ソフトウェア及び設定データを前記基地局に返すことを含む。
【００４５】
好ましくは、前記ｉｐアドレスを取得する要求には更にエラー情報が含まれ、
前記ネットワーク管理システムが、前記基地局の要求に基づき、情報ロード基地局ソフトウェア及び設定データを前記基地局に送信するステップは、
前記ネットワーク管理システムが、前記エラー情報に基づきサービスパックを生成して前記基地局に返して、前記サービスパックには基地局ソフトウェア及び設定データの修正情報が含まれ、前記基地局が、前記修正情報に基づき、基地局ソフトウェア及び設定データを改めてロードすることを含む。
【００４６】
基地局の断線後の自己回復の装置であって、基地局に設けられ、
リンク中断検出モジュール及び自己回復モジュールを備え、
前記リンク中断検出モジュールは、前記基地局及びネットワーク管理システムがリンク接続を行うことができない際に、リンク中断累積時間長さを検出するように設定され、
前記自己回復モジュールは、前記リンク中断検出モジュールが検出した前記リンク中断累積時間長さが指定された時間長さを超える際に、基礎的な通信プロトコルによって前記ネットワーク管理システムにｉｐアドレスを取得する要求を送信し、該要求には前記基地局の唯一の識別子が含まれ、更に前記ネットワーク管理システムが返したｉｐアドレスに基づき、前記ネットワーク管理システムとｉｐリンクを確立し、更に前記ネットワーク管理システムから取得した情報に基づき、基地局ソフトウェア及び設定データをロードするように設定される。
【００４７】
好ましくは、前記自己回復モジュールは、
前記ネットワーク管理システムに基地局ソフトウェア及び設定データを取得する要求を送信し、更に前記ネットワーク管理システムが返した基地局ソフトウェア及び設定データを受信し、更に前記基地局ソフトウェア及び設定データをロードする方式で、
前記自己回復モジュールは、前記ネットワーク管理システムから取得した情報に基づき、基地局ソフトウェア及び設定データをロードするように設定される。
【００４８】
好ましくは、前記自己回復モジュールが前記ネットワーク管理システムに送信したｉｐアドレスを取得する要求には更にエラー情報が含まれ、
前記自己回復モジュールは、
前記ネットワーク管理システムが返したサービスパックを受信し、前記サービスパックには基地局ソフトウェア及び設定データの修正情報が含まれ、前記修正情報に基づき基地局ソフトウェア及び設定データを改めてロードする方式で、
前記自己回復モジュールは、前記ネットワーク管理システムから取得した情報に基づき、基地局ソフトウェア及び設定データをロードするように設定される。
【００４９】
基地局の断線後の自己回復の装置であって、ネットワーク管理システム側に設けられ、
自己回復サービスモジュール及び基地局情報テーブル記憶モジュールを備え、
前記自己回復サービスモジュールは、基地局が基礎的な通信プロトコルによって送信したｉｐアドレスを取得する要求を受信した後に、予め記憶された基地局情報から前記要求における基地局の唯一の識別子に対応するｉｐアドレスを検索して、且つ検索したｉｐアドレスを前記基地局に返し、更に前記ｉｐアドレスに基づき、前記基地局とｉｐリンクを確立し、更に前記基地局の要求に基づき、情報ロード基地局ソフトウェア及び設定データを前記基地局に送信するように設定され、
前記基地局情報テーブル記憶モジュールは、基地局のｉｐアドレス、情報ロード基地局ソフトウェア、設定データ及びサービスパックを記憶するように設定される。
【００５０】
好ましくは、前記自己回復サービスモジュールは、
前記基地局が送信した基地局ソフトウェア及び設定データを取得する要求を受信した後に、予め記憶された基地局情報から前記基地局の基地局ソフトウェア及び設定データを検索し、検索した基地局ソフトウェア及び設定データを前記基地局に返す方式で、
前記自己回復サービスモジュールは、前記基地局の要求に基づき、情報ロード基地局ソフトウェア及び設定データを前記基地局に送信するように設定される。
【００５１】
好ましくは、前記ｉｐアドレスを取得する要求には更にエラー情報が含まれ、
前記自己回復サービスモジュールは更に、前記ｉｐリンクを確立した後に、前記エラー情報に基づきサービスパックを生成して前記基地局に返し、前記サービスパックには基地局ソフトウェア及び設定データの修正情報が含まれ、前記基地局が前記修正情報に基づき基地局ソフトウェア及び設定データを改めてロードするように設定される。
【００５２】
基地局の断線後の自己回復の装置の一実施例は、図１に示すように、自己回復モジュール１０１と、リンク中断検出モジュール１０２と、自己回復サービスモジュール１０３と、基地局情報テーブル記憶モジュール１０４とを含む。
基地局側に設けられる自己回復モジュール１０１は、基地局がシステム回復動作を開始するように設定される。該機能を運転した後に、基地局及びネットワーク管理システムは基礎的な通信プロトコルによって臨時的な通信チャネルを確立し、修復入り口を提供でき、ネットワーク管理システムにおける基地局ソフトウェア及び設定データを取得することもできる。
【００５３】
基地局側に設けられるリンク中断検出モジュール１０２は、リンク中断の状況及び中断時間長さを検出するように設定される。
【００５４】
ネットワーク管理システム側に設けられる自己回復サービスモジュール１０３は、ネットワークエレメントの自己回復に必要なツール及びネットワークエレメントの正確なバージョン、設定データ等の情報を提供する。更に、リンク中断基地局の要求メーセッジ（基礎的な通信プロトコルを採用する）を傍受するための傍受サービスを提供するように設定される。基地局側の自己回復モジュール及びネットワーク管理側の自己回復サービスモジュールの相互協力によって、損壊された基地局システムを正常な作動状態に回復させることができる。
【００５５】
ネットワーク管理システム側に設けられる基地局情報テーブル記憶モジュール１０４は、基地局の唯一の識別子、基地局のｉｐアドレス、基地局の正確なソフトウェアバージョン、基地局の正確な設定データ等を含む基地局情報を記録するように設定される。
【００５６】
初期化及び設定段階で、
ネットワーク管理側には、基地局情報テーブル記憶モジュール１０４及び自己回復サービスモジュール１０３を配置しておく必要があり、基地局情報テーブルに、全てのネットワークエレメントの唯一の識別子（一般的に基地局のメインコントロールパネルＥＩＤ、即ち電子シリアル番号）、ｉｐアドレス、ソフトウェアバージョン情報及び設定データ情報を記録する。自己回復サービスモジュールは、リンク中断基地局の要求メーセッジを傍受するサービスを更に有し、一般的に１つのｄｈｃｐサーバ(dhcp(dynamic host configuration protocol) server）又はその他の基礎的な通信プロトコルサービスであってもよい。自己回復サービスモジュールは、基地局情報テーブルの情報を呼び出すことができる。
【００５７】
基地局側には、基地局側のリンク中断検出モジュール１０２及び基地局側の自己回復モジュール１０１を配置しておく必要がある。リンク中断検出モジュールは１つの基礎的なモジュールであり、いつでも正常に運転することを求め、新しい基地局ソフトウェアバージョン及び設定データの影響を受けない。自己回復モジュールは、ネットワーク管理システムからｉｐアドレス、ソフトウェアバージョン及び設定データを取得することができる。
【００５８】
その他の実施例において、前記基地局情報は、ファイル、テーブル等の形式で予め前記自己回復サービスモジュール１０３に記憶されており、又はその他の取得できる場所（位置）に記憶されることもできる。
【００５９】
他の実施例において、システムの準備過程は以下の通りである。
基地局情報テーブル記憶モジュールを使用して基地局の基礎情報を設定する。基地局の唯一の識別子、基地局のｉｐアドレス、基地局の正確なソフトウェアバージョン、基地局の正確な設定データ等を含む。
【００６０】
ネットワーク管理システムは、前記自己回復サービスモジュールを起動して、断線された基地局の要求メーセッジを傍受する。
【００６１】
基地局は、前記リンク中断検出モジュール及び自己回復モジュールを起動する。
該実施例において、システム動作過程は、以下の通りであり、ステップ１００〜１７０を含む。
【００６２】
Ｓ１００： 開始状態で、基地局及びネットワーク管理システムは、正常に運転して、通信が正常である。ネットワーク管理システム側の基地局情報テーブルには基地局の正確な情報が記憶され、基地局の唯一の識別子、基地局のｉｐアドレス、基地局の正確なソフトウェアバージョン、基地局の正確な設定データ等を含む。基地局側のリンク中断検出モジュールも正常に運転する。この時、ユーザが１つの間違ったソフトウェアバージョン又は設定データを基地局に送信する。基地局ソフトウェア又は設定データが発効した後に正常に運転することができなくなり、基地局が断線する。
【００６３】
Ｓ１１０： 基地局側のリンク中断検出モジュールは基礎的なモジュールであり、正常な運転を確保することができ、基地局及びネットワーク管理システムのリンクの中断がある指定された時間長さを超えたことを検出すると、基地局の現在の標準な起動フローを中断して、且つ基地局側の自己回復モジュールを起動することをトリガーする。
【００６４】
Ｓ１２０： 基地局側の自己回復モジュールは、ネットワークにブロードキャストパケット（ブロードキャストメッセージ）を開始し、該パケットは基地局の正確なｉｐアドレスを要求する。該パケットは基礎的な通信プロトコルに属して、ネットワーク管理システム及び基地局の正常な通信リンクに依存しないため、正常のリンクが通じなくても、該パケットを正常に送受信することができる。パケットには、基地局の唯一の識別子、及びいくつかのエラー情報を含む。該パケットは、ネットワーク管理システムによって受信されることができる。ネットワーク管理シス
テムがパケットを受信した後に、ネットワーク管理側の自己回復サービスモジュールは、前記基地局情報テーブルを検索して、基地局の唯一の識別子情報に基づき、該基地局のｉｐアドレスを位置決め、且つ該ｉｐアドレスを基地局に返す。
【００６５】
Ｓ１３０： 基地局は正確なｉｐアドレスを取得した後に、該ｉｐアドレスを設定して、且つネットワーク管理システムとｉｐリンク（臨時通信リンク）を確立する。
【００６６】
Ｓ１４０： リンクが通じた後に、ネットワーク管理システムはまず受信したエラー情報に基づき分析することができ、予め設定されたエラー情報と修正案との間の対応関係に基づき自動的に修正案を提供できるか否かを判断し、例えば、ある設定データのサービスパックを提供して基地局に送信できるか否かを判断する。ネットワーク管理システムは、上記の過程によって修正することができないと、基地局に完全な基地局ソフトウェア及び設定データを取得することを通知する。
【００６７】
Ｓ１５０： 基地局はネットワーク管理システムにメーセッジを送信して、完全な基地局ソフトウェア及び設定データを取得することを要求する。
【００６８】
Ｓ１６０： ネットワーク管理システムは基地局情報テーブルを検索して、基地局ソフトウェア及び設定データを基地局に返す。
【００６９】
Ｓ１７０： 基地局は正確な基地局ソフトウェア及び設定データをダウンロードした後に、ロードを実行し、ネットワーク管理システムと正常に通信する。この時、メンテナンス者は、ネットワーク管理システムを使用して基地局に対して様々なメンテナンス操作を行うことができる。
【００７０】
基地局が正常に運転する際に、基地局側のリンク中断検出モジュールはリンクの正常を検出したため、上記のフローをトリガーしない。伝送リンクの故障によるリンク中断がある際に、基地局側は自己回復要求をトリガーするが、伝送リンクの中断のため、基地局は正確なｉｐアドレスを取得することができなく、フローを続いて実行しない。一旦伝送が正常であり、基地局側のリンク中断検出モジュールがリンクの正常を検出すると、基地局の自己回復フローをトリガーしなく、この時、自己回復フローが開始すると、該自己回復フローを終止することもできる。したがって、上記自己回復フローは、伝送リンクが正常で、且つ基地局ソフトウェア又は設定データのエラーによってリンク確立を行うことができない場合だけでトリガーする。
【００７１】
他の実施例において、基地局側の操作過程は、図２に示すように、ステップ２００〜２６０を含む。
Ｓ２００： 基地局は通常にフローを起動した後から基地局が正常に起動してネットワーク管理システムとのリンクの確立を成功するまでの間に、リンク中断検出モジュールはリンク中断累積時間長さを検出する。
Ｓ２１０： リンク中断累積時間長さが指定された時間長さを超えると、ステップ２２０を実行し、そうでないと、検出し続ける。
Ｓ２２０： 自己回復モジュールの起動をトリガーする。
Ｓ２３０： 自己回復モジュールは基礎的な通信プロトコルを利用してネットワーク管理システムからｉｐアドレスを取得する。
Ｓ２４０： 自己回復モジュール及びネットワーク管理システムはｉｐリンクを確立した後に基地局ソフトウェア及び設定データを取得する。
Ｓ２５０： 基地局ソフトウェア及び設定データが基地局で発効する。
Ｓ２６０： 基地局の回復が成功する。
【００７２】
ステップ２２０〜２６０は自己回復流れであり、基地局は伝送故障によって断線した後に再び起動に成功すると、該自己回復フローを中断する。以下、２つの実施例を結合して詳細に説明する。
【００７３】
実施例１
基地局側は、以下のステップＳ１１〜Ｓ１５を含む。
【００７４】
ステップＳ１１： 基地局は通常の起動フローを起動し、基地局情報テーブルが情報を満たされて整う。
【００７５】
ステップＳ１２： 基地局ソフトウェア又は設定データが異常であると、基地局は正常な起動状態に達成することができなく、ネットワーク管理システムとリンクの確立を成功することができない。
【００７６】
ステップＳ１３： リンク中断検出モジュールは、リンク中断累積時間長さが指定された時間長さを超えることを検出すると、前記基地局の自己回復モジュールをトリガーする。
【００７７】
ステップＳ１４： 自己回復モジュールは、基礎的な通信プロトコルによって前記ネットワーク管理システムにｉｐアドレスの要求を送信し、前記要求には前記基地局の唯一の識別子が含まれ、ｉｐアドレスの取得に成功した後に、前記ネットワーク管理システムに基地局ソフトウェア及び設定データを取得する要求を続いて送信する。
【００７８】
ステップＳ１5： 全部の取得に成功した後に、基地局は正常に戻る。
【００７９】
ネットワーク管理システム側は、図３に示すように、下記のステップＳ２１〜Ｓ２６を含む。
【００８０】
ステップＳ２１： 前記ネットワーク管理システムは、断線した基地局のｉｐアドレスの要求を受信し、前記要求には前記断線した基地局の唯一の識別子が含まれる。
【００８１】
ステップＳ２２： 前記ネットワーク管理システムは、前記基地局情報テーブルを検索して、前記断線した基地局の唯一の識別子に基づき、対応するｉｐアドレスを取得して、前記断線した基地局に返す。
【００８２】
ステップＳ２３： 前記ネットワーク管理システムは、前記断線した基地局とｉｐリンクを確立する。
【００８３】
ステップＳ２４： 前記ネットワーク管理システムは、前記断線した基地局の基地局ソフトウェア及び設定データを取得する要求を受信する。
【００８４】
ステップＳ２５： 前記ネットワーク管理システムは、前記基地局情報テーブルに基づき、対応する基地局ソフトウェア及び設定データを前記断線した基地局に送信する。
【００８５】
ステップＳ２６： 前記ネットワーク管理システムと前記断線した基地局とは正常なメンテナンスリンクを確立する。
【００８６】
実施例２
基地局側は、下記のステップＳ３１〜Ｓ３５を含む。
【００８７】
ステップＳ３１： 基地局は、通常の起動フローを起動し、基地局情報テーブルが情報を満たされて整う。
【００８８】
ステップＳ３２： 基地局ソフトウェア又は設定データが異常であるため、基地局は、正常な起動状態に到達することができなく、ネットワーク管理システムとリンクの確立を成功することができない。
【００８９】
ステップＳ３３： リンク中断検出モジュールは、リンク中断累積時間長さが指定された時間長さを超えることを検出し、前記基地局の自己回復モジュールをトリガーする。
【００９０】
ステップＳ３４： 前記自己回復モジュールは、基礎的な通信プロトコルによって前記ネットワーク管理システムにｉｐアドレスの要求を送信し、前記要求には前記基地局の唯一の識別子及びエラー情報が含まれ、ｉｐアドレスの取得に成功した後に、前記ネットワーク管理システムからのサービスパックを受信する。
【００９１】
ステップＳ３５： サービスパックに基づきロードを成功した後に、基地局は正常に戻る。
【００９２】
ネットワーク管理システム側は、下記のステップＳ４１〜Ｓ４５を含む。
【００９３】
ステップＳ４１： 前記ネットワーク管理システムは、断線した基地局のｉｐアドレスの要求を受信して、前記要求には基地局の唯一の識別子及びエラー情報が含まれる。
【００９４】
ステップＳ４２： 前記ネットワーク管理システムは、前記基地局情報テーブルを検索して、前記断線した基地局の唯一の識別子に基づき、対応するｉｐアドレスを取得して、前記断線した基地局に返す。
【００９５】
ステップＳ４３： 前記ネットワーク管理システムは、前記断線した基地局とｉｐリンクを確立する。
【００９６】
ステップＳ４４： 前記ネットワーク管理システムは、前記断線した基地局のエラー情報を分析して、自己診断を行い、基地局ソフトウェア及び設定データを修正するためのサービスパックを提供し、且つ前記断線した基地局に送信し、前記サービスパックには基地局ソフトウェア及び設定データの修正情報が含まれる。
【００９７】
ステップＳ４５： 前記断線した基地局は、サービスパックを受信した後に、前記修正情報に基づき、対応する基地局ソフトウェア及び設定データのロードを成功した後に起動し、前記ネットワーク管理システムと正常なメンテナンスリンクを確立する。
【００９８】
本発明の実施例は、コンピュータプログラムを更に開示し、プログラム命令を含み、該プログラム命令が基地局によって実行される際に、該基地局に、上記の任意の基地局側の基地局の断線後の自己回復の方法を実行させることができる。 
【００９９】
本発明実施例は、前記コンピュータプログラムが載せられたキャリアを更に開示する。
【０１００】
本発明の実施例は、コンピュータプログラムを更に開示し、プログラム命令を含み、該プログラム命令がネットワーク管理システムによって実行される際に、該ネットワーク管理システムに、上記の任意のネットワーク管理システム側の基地局の断線後の自己回復の方法を実行させることができる。 
【０１０１】
本発明の実施例は、前記コンピュータプログラムが載せられたキャリアを更に開示する。
【０１０２】
勿論、本発明は更に、他の多種の実施例を有することができるもので、本発明の趣旨及びその本質から逸脱しない場合には、当業者は本発明に基づく各種の相応の改変と変形を行うことができるが、これらの相応の改変と変形はいずれも、本発明に付属する請求項の保護範囲に属すべきものである。
【産業上の利用可能性】
【０１０３】
本発明は、関連基地局管理において、基地局ソフトウェアバージョン又は設定データの送信エラーによって基地局の断線を引き起こして、ネットワーク管理システムと通信できない際に、従来は、人の働きで基地局に行って修復するしかできなく、それによりマンパワー及び時間の大量の浪費及び消耗の問題をもたらす課題に対して、新しい解決手段を提案する。本発明の技術的解決手段を使用して、システムにより自動的に、基地局ソフトウェア又は設定データの不正常によって基地局の断線を引き起こす問題を解決することができる。従来の技術は人の働きで基地局に行く必要があり、大量のマンパワー及び時間の消耗をもたらす。本発明を使用して該問題を避け、且つシステムの実用性を向上させることができる。このため、本発明は高い産業上の利用可能性を有する。
【図１】
2017536759.tif 000003
【図２】
2017536759.tif 000004
【図３】
2017536759.tif 000005
【国際調査報告】
2017536759.tif 000006
2017536759.tif 000007
2017536759.tif 000008
2017536759.tif 000009